(57)【要約】【課題】この発明は、所望する形状に組み立てる作業或いは分解する作業が簡単且つ容易に行えるシート状方形体の提供を目的とする。【解決手段】一方及び他方のシート状方形体１を互いに直交して、双方の方形体２に形成された切欠き部３を互いに嵌め合わせる。このとき、方形体２の差込み側平面部が、方形体２の切欠き部３に形成された凸部４ａ及び凹部４ｂに沿って厚み方向に可撓変形される。また。方形体２の差込み側平面部が、該方形体２自体の復元力によって切欠き部３の凸部４ａに対し強く押し付けられる。このため、シート状方形体１に対し差込み方向とは逆の方向へ引っ張り力が付与されても、シート状方形体１が分離されにくく、所望する形状に組み立てられた状態を維持することができる。【選択図】図１
2011125622.tif 000002
【特許請求の範囲】
【請求項１】
複数の切欠き部を有するシート状の方形体を互いに組み付けて所望する形状に組み立てられるシート状方形体であって、
前記方形体の外周部に、該方形体の外周部から中心部に向けて切欠き部を複数形成し、
前記方形体の切欠き部を、該方形体に形成された切欠き部の閉塞側内端に連続する平面部が厚み方向に挟持される切欠き幅に形成した
シート状方形体。
【請求項２】
前記シート状方形体を、
該シート状方形体と同一の大きさ及び形状に形成された方形体を厚み方向に複数枚重ね合わせるとともに、該各方形体の切欠き部が厚み方向に連通するように形状を一致させて一体的に接合した
請求項１に記載のシート状方形体。
【請求項３】
前記切欠き部の一側内縁部又は両側内縁部に、該切欠き部に差し込まれる方形体の平面部と対向して該平面部を厚み方向に可撓変形するための凸部を形成した
請求項１又は２に記載のシート状方形体。
【請求項４】
前記切欠き部の一側内縁部及び他側内縁部に、該切欠き部に差し込まれる方形体の平面部と対向して該平面部を厚み方向に可撓変形するための凸部を形成するとともに、該凸部を、前記切欠き部の一側内縁部と他側内縁部との異なる位置に配置した
請求項１又は２に記載のシート状方形体。
【請求項５】
前記方形体の対向する位置に形成された切欠き部の閉塞側内端を結ぶ線上に、該線に沿って方形体の折り曲げが許容される折曲げ罫線を形成した
請求項１〜４のいずれか一つに記載のシート状方形体。
【請求項６】
前記方形体を、柔軟性を有するプラスチックシートで構成した
請求項１〜５のいずれか一つに記載のシート状方形体。
【発明の詳細な説明】
【技術分野】
【０００１】
この発明は、例えば造形や組み立てを楽しむこと、或いは、知能の発達、創造力の開発、機能回復訓練等に用いられるシート状方形体に関する。
【背景技術】
【０００２】
従来、前記造形や組み立てに用いられる方形体としては、例えば特許文献１のカード型積み木や特許文献２の幼児用紙製工作カード集合体等が提案されている。  
前記特許文献１のカード型積み木は、第１番目のカード状薄板の切り欠き部や小へこみに、第２番目のカード状薄板の左辺突出部や小突起を嵌め込んで組み付けるものである。しかし、各カード状薄板の嵌め込み部分に生じる接触抵抗のみで組み付け状態を維持するため、各カード状薄板に対し嵌め込み方向とは逆の方向へ引っ張り力が付与されると、各カード状薄板が簡単に分離されやすく、組み付け状態を維持することが困難である。
【０００３】
また、特許文献２の幼児用紙製工作カード集合体は、各種形状のカード片を切り込み線や折れ線の箇所で差し込む又は折り曲げるか、接着剤で接着する等して組み付けるものである。しかし、各カード片を互いに差し込んで組み付けた際、各カード片の差し込み部分に生じる接触抵抗のみで組み付け状態を維持するため、各カード片に対し差し込み方向とは逆の方向へ引っ張り力が付与されると、各カード片が簡単に分離されやすく、組み付け状態を維持することができない。
【先行技術文献】
【特許文献】
【０００４】
【特許文献１】特開平１０−３２８４２９号公報
【特許文献２】実用新案登録第３０９０４１８号公報
【発明の概要】
【発明が解決しようとする課題】
【０００５】
この発明は、所望する形状に組み立てる作業或いは分解する作業が簡単且つ容易に行えるシート状方形体を提供することを目的とする。
【課題を解決するための手段】
【０００６】
この発明は、複数の切欠き部を有する方形体を互いに組み付けて所望する形状に組み立てられるシート状方形体であって、前記方形体の外周部に、該方形体の外周部から中心部に向けて切欠き部を複数形成し、前記方形体の切欠き部を、該方形体に形成された切欠き部の閉塞側内端に連続する平面部が厚み方向に挟持される切欠き幅に形成したシート状方形体であることを特徴とする。  
これにより、例えば水平に配置されたシート状方形体に対し、他のシート状方形体を前後方向或いは左右方向、斜め方向から組み付ける。或いは、垂直に配置されたシート状方形体に対し、シート状方形体を上下方向或いは左右方向、斜め上下方向から組み付ける等して、所望する形状に組み立てることができる。また、分解する作業が簡単且つ容易に行える。
【０００７】
この発明の態様として、前記シート状方形体を、該シート状方形体と同一の大きさ及び形状に形成された方形体を厚み方向に複数枚重ね合わせるとともに、該各方形体の切欠き部が厚み方向に連通するように形状を一致させて一体的に接合することができる。  
これにより、例えば透明又は半透明に形成された方形体と、所望する色に着色された方形体とを重ね合わせる。或いは、異なる色に着色された方形体を重ね合わせる等して、色による装飾性を持たせることができる。
【０００８】
また、この発明の態様として、前記切欠き部の一側内縁部又は両側内縁部に、該切欠き部に差し込まれる方形体の平面部と対向して該平面部を厚み方向に可撓変形するための凸部を形成することができる。  
これにより、方形体の差込み側平面部が、該方形体自体の復元力によって切欠き部の凸部に対し強く押し付けられるので、シート状方形体に対し差込み方向とは逆の方向へ引っ張り力が付与されても、シート状方形体が分離されにくくなる。
【０００９】
また、この発明の態様として、前記切欠き部の一側内縁部及び他側内縁部に、該切欠き部に差し込まれる方形体の平面部と対向して該平面部を厚み方向に可撓変形するための凸部を形成するとともに、該凸部を、前記切欠き部の一側内縁部と他側内縁部との異なる位置に配置することができる。  
これにより、方形体の差込み側平面部が、切欠き部の一側内縁部及び他側内縁部に形成された凸部によって異なる方向へ可撓変形されるので、一方及び他方のシート状方形体を強固に固定することができる。
【００１０】
また、この発明の態様として、前記方形体の対向する位置に形成された切欠き部の閉塞側内端を結ぶ線上に、該線に沿って方形体の折り曲げが許容される折曲げ罫線を形成することができる。  
これにより、シート状方形体を折曲げ罫線に沿って直角に折り曲げるか所望する角度に折り曲げて組み付けることができる。
【００１１】
また、この発明の態様として、前記方形体を、柔軟性を有するプラスチックシートで構成することができる。  
これにより、シート状方形体を真っ直ぐな状態では組み付けることが難しい箇所に組み付ける際に、シート状方形体の一部又は全体を可撓変形して組み付けることができる。また、分解する作業が簡単且つ容易に行える。
【００１２】
前記方形体は、例えば正方形、五角形、六角形、八角形、その他の多角形、或いは、丸形、楕円形等で構成することができる。
【００１３】
また、方形体は、前記プラスチックシートの他に、例えば、プラスチックプレート、金属板、木板、合板、段ボール紙、厚紙、或いは、射出成形品等で構成することができる。
【発明の効果】
【００１４】
この発明によれば、一方及び他方のシート状方形体に形成された切欠き部を互いに嵌め合わせて組み付けるので、例えば建物、乗物、動物等に酷似する形状に組み立てること或いは分解を楽しむことができるとともに、所望する形状に組み立てる作業或いは分解する作業が簡単且つ容易に行える。また、従来例のような直線的に嵌め合わせる構造に比べて、大きな接触抵抗が得られるので、シート状方形体を強固に固定することができるとともに、シート状方形体の差込み部分にガタ付きが生じにくく、所望する形状に組み立てられた状態を維持することができる。
【図面の簡単な説明】
【００１５】
【図１】平面から見て八角形に形成したシート状方形体を示す斜視図。
【図２】図１の八角形に形成したシート状方形体を示す平面図。
【図３】シート状方形体の差込み部分を示す拡大図。
【図４】同一形状の方形体を重ね合せてなるシート状方形体を示す斜視図。
【図５】図４の方形体の分離状態を示す展開斜視図。
【図６】凸部及び凹部を異なる位置に形成したシート状方形体を示す斜視図。
【図７】半透明と縦線を形成したシート状方形体を示す平面図。
【図８】六角形と丸形に形成したシート状方形体を示す平面図。
【図９】鏡面層を形成したシート状方形体を示す断面図。
【図１０】シート状方形体を用いて塔形状に組み立てた例を示す斜視図。
【図１１】シート状方形体を用いて箱形状に組み立てた例を示す斜視図。
【図１２】シート状方形体を用いて花形状に組み立てた例を示す斜視図。
【発明を実施するための形態】
【実施例】
【００１６】
図１は、平面から見て八角形に形成したシート状方形体１を示す斜視図、図２は、図１の八角形に形成したシート状方形体１を示す平面図、図３は、シート状方形体１の差込み部分を示す拡大図である。
【００１７】
本実施例のシート状方形体１は、図示しないトムソン型打抜き機により透光性及び柔軟性を有するプラスチックシートを厚み方向に打抜いて、平面から見て八角形の方形体２が打抜き形成されている（図２参照）。
【００１８】
方形体２の外周部には、該方形体２の外周部に形成された辺部２ａの中間部から該方形体２の中心部２ｂに向けて切欠き部３が形成されている。  
また、切欠き部３は、方形体２の中心部２ｂを中心として周方向に対し等角度（又は等間隔）に隔てて放射状に８本配列されている。
【００１９】
実施例では、切欠き部３を、方形体２の辺部２ａ…に１本ずつ形成しているが、対向する辺部２ａ，２ａの２箇所のみに形成してもよく、実施例の８本に本数が限定されるものではない。つまり、切欠き部３が２箇所或いは２箇所以上あれば、所望する形体に組み立てが可能である。
【００２０】
方形体２の切欠き部３は、他の方形体２に形成された切欠き部３の閉塞側内端と連続する平面部の差し込みが許容される切欠き幅Ｗ１に形成されている（図２のａ部及び図３参照）。例えば切欠き部３の切欠き幅Ｗ１を、方形体２の肉厚より０．１ｍｍ程度幅広に形成すれば、方形体２の差し込み及び抜き取りが容易に行える。
【００２１】
切欠き部３の一側内縁部には、該切欠き部３に差込まれる方形体２の一側平面部と対向して凸部４ａが形成されている。また、切欠き部３の他側内縁部には、該切欠き部３に差込まれる方形体２の他側平面部と対向して凹部４ｂが形成されている。
【００２２】
凸部４ａと凹部４ｂは、切欠き部３の開放側外端から閉塞側内端に向けて滑らかな曲面形状に形成されており、方形体２の切欠き部３の閉塞側内端と連続する平面部を厚み方向に可撓変形する。
【００２３】
実施例において、方形体２は、例えば１ｍｍ以上の厚さで、３ｍｍ以下の厚さを有するプラスチックシートで構成されているが、組み付け状態を維持するのに必要な強度や組み付け時の容易性を考慮すると、好ましくは、１．５ｍｍの厚さを有するプラスチックシートで構成するのがよい。
【００２４】
例えば厚さ１．５ｍｍの方形体２を挟持する場合、凸部４ａの突出寸法Ｗ２は、０．１ｍｍ〜０．２ｍｍの範囲に含まれる突出寸法に設定される。また、凸部４ａと対向する凹部４ｂの窪み寸法は、凸部４ａの突出寸法Ｗ２と対応する寸法に形成される。  
なお、凸部４ａの突出寸法と凹部４ｂの窪み寸法は、方形体２の厚さと、形状と、大きさとに応じて変更される。
【００２５】
また、切欠き部３の長さは、方形体２の辺部２ａと中心部２ｂとを結ぶ半径の１／２の長さに形成されているが、該半径の１／２以下或いは１／２以上の長さに変更してもよい。
【００２６】
また、切欠き部３の開放側外端は、該切欠き部３の開放側から閉塞側に向けて徐々に狭くなる滑らかな曲面形状（或いは斜面形状）に形成されている。  
つまり、一方の方形体２の切欠き部３の閉塞側内端と連続する平面部が、他の方形体２の切欠き部３に向けて差込みガイドされるので、一方及び他方の方形体２の切欠き部３を互いに差込む作業が容易に行える。  
なお、切欠き部３の開放側外端を、該切欠き部３の開放側から閉塞側に向けて徐々に狭くなる滑らかな斜面形状に形成してもよい。
【００２７】
また、方形体２の表側中央平面部には、平面から見て十字状に交差して折曲げ罫線５が形成されている。  
折曲げ罫線５は、方形体２の対向する位置に形成された切欠き部３，３の閉塞側内端を結ぶ線上に形成され、方形体２の二つ折り曲げが許容される深さ及び長さに形成されている。つまり、図示しないトムソン型打抜き機により方形体２を厚み方向に打抜かず、該折曲げ罫線５の底部が残るような深さに長手側端面から見てＶ字状の形成されている。
【００２８】
実施例では、２本の折曲げ罫線５が十字状に交差して形成されているが、４本の折曲げ罫線５を米字状に交差するように形成してもよい。
【００２９】
図示実施例は前記の如く構成するものにして、以下、前記シート状方形体１の組み付け方法を説明する。
【００３０】
先ず、一方のシート状方形体１の方形体２と、他方のシート状方形体１の方形体２とを互いに直交して、双方の方形体２に形成された所望する箇所の切欠き部３を互いに嵌め合わせる（図３参照）。
【００３１】
一方の方形体２に形成された切欠き部３の閉塞側内端と連続する平面部を、他方の方形体２に形成された切欠き部３に対し開放側外端から直交して差し込む。同時に、他方の方形体２に形成された切欠き部３の閉塞側内端と連続する平面部を、一方の方形体２に形成された切欠き部３に対し開放側外端から差し込む。さらに、方形体２，２の切欠き部３，３の閉塞側内端が互いに当接される深さまで差し込む。
【００３２】
双方の方形体２に形成された切欠き部３を互いに嵌め合わせた際、一方の方形体２の切欠き部３に差し込まれた他方の方形体２の差込み側平面部と、他方の方形体２の切欠き部３に差し込まれた一方の方形体２の差込み側平面部とが、方形体２自体の復元力に抗して、双方の方形体２の切欠き部３に形成された凸部４ａと凹部４ｂに沿って厚み方向に対し強制的に可撓変形される。
【００３３】
可撓変形時において、一方及び他方の方形体２の差込み側平面部が、該方形体２自体の復元力によって元の真っ直ぐな状態に戻ろうとするので、双方の方形体２の差込み側平面部が切欠き部３の凸部４ａに対し強く押し付けられる（図３参照）。  
このため、シート状方形体１に対し差込み方向とは逆の方向へ引っ張り力が付与されても、２枚のシート状方形体１が互いに分離されにくく、従来例のような直線的に嵌め合わせる構造に比べて、大きな抜止め抵抗が得られる。  
これにより、２枚のシート状方形体１の差込み部分にガタ付きが生じにくく、所望する形状に組み付けられた状態を維持することができる。
【００３４】
所望する形状に組み立てる場合、例えば水平に配置されたシート状方形体１に対し、他のシート状方形体１を前後方向或いは左右方向、斜め方向から組み付ける。或いは、垂直に配置されたシート状方形体１に対し、シート状方形体１を上下方向或いは左右方向、斜め上下方向から組み付ける等して、複数枚のシート状方形体１を互いに組み付ける。  
これにより、後述する図１０に示す塔形状、図１１に示す箱形状、図１２に示す花形状のような形状に組み立てることができる。
【００３５】
また、シート状方形体１の組み付け方を変えれば、図１０〜図１２に示す形状以外に、使用者が創造する架空の形状や現存する建物、乗物、動物等に酷似するような形状に組み付けることができる。さらにまた、置物や展示、ディスプレー等の用途及び目的にも利用することができる。
【００３６】
また、シート状方形体１の切欠き部３を互いに嵌め合わせる方法と、シート状方形体１を折曲げ罫線５に沿って直角に折り曲げるか所望する角度に折り曲げる方法（図１０の右上に示す折り曲げ状態参照）とを併用してもよい。これにより、シート状方形体１を用いた組み付け形状のバリエーションが多くなり、様々な形状に組み立てることが可能となる。
【００３７】
以上のように、シート状方形体１の辺部２ａに形成された切欠き部３を互いに嵌め合わせて複数枚組み付けるので、例えば建物、乗物、動物等に酷似する形状に組み立てること或いは分解を楽しむことができるとともに、所望する形状に組み立てる作業或いは分解する作業が簡単且つ容易に行える。また、従来例のような直線的に嵌め合わせる構造に比べて、大きな接触抵抗が得られるので、シート状方形体１を強固に固定することができるとともに、シート状方形体１の差込み部分にガタ付きが生じにくく、所望する形状に組み立てられた状態を維持することができる。
【００３８】
また、シート状方形体１の方形体２を、例えば赤色、青色、黄色、緑色等の所望する色に着色するか、該方形体２の表裏両面のいずれか一方或いは両方の面に模様や文字等を印刷する等してもよい。
【００３９】
図４は、同一形状の方形体２Ｘ，２Ｙを２枚重ね合わせてなるシート状方形体１を示す斜視図、図５は、図４の方形体２Ｘ，２Ｙの分離状態を示す展開斜視図である。
【００４０】
本例のシート状方形体１は、平面から見て八角形に形成された方形体２を、該方形体２と対応して同一の大きさ及び形状に形成された方形体２Ｘ，２Ｙを厚み方向に重ね合わせる。また、方形体２Ｘ，２Ｙの切欠き部３が厚み方向に連通するように形状を一致させて、方形体２Ｘ，２Ｙの重ね合わせ面を、例えば接着剤で接着するか、高周波溶着装置で溶着する等して一体的に接合してもよい。
【００４１】
実施例において、方形体２Ｘ，２Ｙの肉厚は、切欠き部３の切欠き幅Ｗ１の１／２の肉厚に形成されている。また、１／２以下の肉厚に形成された方形体２Ｘ，２Ｙを、例えば３枚、４枚等の複数枚重ね合せてシート状方形体１を構成してもよい。
【００４２】
また、方形体２Ｘの対向する位置に形成された切欠き部３の閉塞側内端を結ぶ線上に、該方形体２の二つ折り曲げが許容される折曲げ罫線５が形成されている。
【００４３】
つまり、方形体２Ｘ，２Ｙを重ね合せてなる一方のシート状方形体１の方形体２の辺部２ａに形成された切欠き部３と、方形体２Ｘ，２Ｙを重ね合せてなる他方のシート状方形体１の方形体２の辺部２ａに形成された切欠き部３とを互いに嵌め合わせて組み付ける。また、シート状方形体１を折曲げ罫線５に沿って直角に折り曲げるか所望する角度に折り曲げて組み付ける。これにより、前記実施例と略同等の作用及び効果を奏することができる。
【００４４】
また、方形体２Ｘ，２Ｙのいずれか一方を透明又は半透明に形成し、他方を所望する色に着色して互いに重ね合わせる。或いは、方形体２Ｘ，２Ｙの両方を異なる色に着色する等して、色による装飾性を持たせることもできる。  
なお、方形体２Ｘ，２Ｙの切欠き部３には、凸部４ａ及び凹部４ｂが同一箇所に形成されている。
【００４５】
図６は、方形体２Ｘ，２Ｙの切欠き部３に対し凸部４ａ及び凹部４ｂを異なる位置に形成したシート状方形体１を示す斜視図である。  
本例のシート状方形体１は、方形体２Ｘの切欠き部３に形成された凸部４ａ及び凹部４ｂと、方形体２Ｙの切欠き部３に形成された凸部４ａ及び凹部４ｂとが、該切欠き部３の長手方向に対し異なる位置に配置されている。
【００４６】
つまり、方形体２Ｘの切欠き部３の一側内縁部に形成された凸部４ａは、該切欠き部３の閉塞側内端寄りに形成されている。また、方形体２Ｙの切欠き部３の他側内縁部に形成された凸部４ａは、該切欠き部３の開放側外端寄りに形成されている。
【００４７】
方形体２Ｘの辺部２ａに形成された切欠き部３と、方形体２Ｙの辺部２ａに形成された切欠き部３とを互いに嵌め合わせる。同時に、方形体２Ｘの切欠き部３に形成された凸部４ａ及び凹部４ｂと、方形体２Ｙの切欠き部３に形成された凸部４ａ及び凹部４ｂによって、一方及び他方の方形体２Ｘ，２Ｙの差込み側平面部が異なる方向へ可撓変形される。
【００４８】
しかし、方形体２Ｘ，２Ｙの差込み側平面部は、該方形体２Ｘ，２Ｙ２自体の復元力によって元の真っ直ぐな状態に戻ろうとするため、切欠き部３の凸部４ａに対し強く押し付けられる互いに押し付けられる。  
これにより、一方及び他方のシート状方形体１が強固に固定されるので、前記実施例と略同等の作用及び効果を奏することができる。
【００４９】
図７の（ａ）、（ｂ）は、半透明と縦線を形成したシート状方形体１を示す平面図である。  
図中の（ａ）に示すシート状方形体１は、方形体２の表裏両面のいずれか一方の面に乳白色のフィルムを貼り付けるか、該一方の面に梨地模様を形成する等して半透明に形成している（図７のａ参照）。
【００５０】
また、図中の（ｂ）に示すシート状方形体１は、方形体２の表裏両面のいずれか一方の面に沿って多数本の縦線（或いは横線）を等間隔に隔てて平行して形成している。  
これにより、シート状方形体１の意匠性及び装飾性を高めることができる。
【００５１】
図８の（ｃ）、（ｄ）は、六角形と丸形に形成したシート状方形体１１，２１を示す平面図である。  
図８中の（ｃ）に示すシート状方形体１１は、六角形に形成された方形体１２の外周部に、該方形体１２の外周部に形成された辺部１２ａの中間部から該方形体１２の中心部１２ｂに向けて切欠き部３が形成されている。また、切欠き部３は、方形体１２の中心部２ｂを中心として周方向に対し等角度（又は等間隔）に隔てて６本配列されている。
【００５２】
また、方形体１２の対向する位置に形成された切欠き部３の閉塞側内端を結ぶ線上に、該方形体１２の二つ折り曲げが許容される折曲げ罫線５が形成されている。  
つまり、複数枚のシート状方形体１１を互いに組み付けて、所望する形状に組み立てるので、前記実施例と略同等の作用及び効果を奏することができる。
【００５３】
図８中の（ｄ）に示すシート状方形体２１は、丸形に形成された方形体２２の外周部２２ａに、該方形体２２の外周部２２ａから中心部２２ｂに向けて切欠き部３が形成されている。また、切欠き部３は、方形体２２の中心部２２ｂを中心として周方向に対し等角度（又は等間隔）に隔てて８本配列されている。
【００５４】
また、方形体２２の対向する位置に形成された切欠き部３の閉塞側内端を結ぶ線上に、該方形体２２の二つ折り曲げが許容される折曲げ罫線５が形成されている。
【００５５】
つまり、複数枚のシート状方形体２１を互いに組み付けて、所望する形状に組み立てるので、前記実施例と略同等の作用及び効果を奏することができる。
【００５６】
図９は、透光性を有する方形体２の裏面側に鏡面層６を形成したシート状方形体１を示す断面図である。  
つまり、方形体２の表面側から入光した光が、該方形体２の裏面側に形成された鏡面層６にて反射される。その反射された光が、方形体２の表面側から出光されるため、シート状方形体１の表面が輝いて見えることになる。  
これにより、鏡面層６が形成されたシート状方形体１を用いて、所望する形状に組み立てられた造形物の意匠性及び装飾性を高めることができる。
【００５７】
また、鏡面層６の反射面に凹凸を形成するか、ドット状又はスリット状のレンズを形成すれば、方形体２を通過した光が鏡面層６にて乱反射されることになり、高い装飾効果が得られる。なお、方形体２の表面側或いは中間部に鏡面層６を形成してもよい。
【００５８】
前記図４〜図９に示す他の実施例に於いて、図１〜図３に示す実施例のシート状方形体１と同一構成の部分は同一の符号を記してその詳細な説明を省略する。
【００５９】
図１０は、前記シート状方形体１を階層状に組み付けて、図に示すような塔形状に組み立てた例を示す斜視図である。  
図１１は、前記シート状方形体１を立体正方形に組み付けて、図に示すような箱形状に組み立てた例を示す斜視図である。  
図１２は、前記シート状方形体１を花びら状に組み付けて、図に示すような花形状に組み立てた例を示す斜視図である。  
つまり、水平に配置されたシート状方形体１に対し、他のシート状方形体１を前後方向或いは左右方向、斜め方向から組み付ける。或いは、垂直に配置されたシート状方形体１に対し、シート状方形体１を上下方向或いは左右方向、斜め上下方向から組み付ければ、図１０〜図１２に示すような所望する形状に簡単且つ容易に組み立てることができる。
【００６０】
なお、前記シート状方形体１１，２１のいずれか一つを用いるか、前記シート状方形体１，１１，２１の複数種を組み合わせる等して組み立ててもよい。
【００６１】
本発明は、上述の実施形態の構成のみに限定されるものではなく、請求項に示される技術思想に基づいて応用することができ、多くの実施の形態を得ることができる。
【００６２】
実施例のプラスチックシートの代わりに、例えばプラスチックプレート、金属板、木板、合板、段ボール紙、厚紙、或いは、射出成形品等でシート状方形体１を構成してもよい。
【符号の説明】
【００６３】
１…シート状方形体
２，２Ｘ，２Ｙ…方形体
３…切欠き部
４ａ…凸部
４ｂ…凹部
５…折曲げ罫線
６…鏡面層
１１，２２…シート状方形体
２１，２２…方形体
【図１】
2011125622.tif 000003
【図２】
2011125622.tif 000004
【図３】
2011125622.tif 000005
【図４】
2011125622.tif 000006
【図５】
2011125622.tif 000007
【図６】
2011125622.tif 000008
【図７】
2011125622.tif 000009
【図８】
2011125622.tif 000010
【図９】
2011125622.tif 000011
【図１０】
2011125622.tif 000012
【図１１】
2011125622.tif 000013
【図１２】
2011125622.tif 000014